(57)【特許請求の範囲】
【請求項１】
基礎（Ｕ）上にレールを装着するアングルガイドプレートであって、アングルガイドプレート（４）上に装着されるテンションクランプ（６；６０）のスプリングアーム（２３、６２）の自由端セクション（２２；６１）のシートとして機能する凹部（２１ａ、２１ｂ；５８ａ、５８ｂ）を有し、テンションクランプ（６；６０）は予組立て位置に配置され、凹部（２１ａ、２１ｂ；５８ａ、５８ｂ）は、自由端セクション（２２；６１）の外周の１／２より小さい部分だけ、自由端セクション（２２；６１）を包囲する構成のアングルガイドプレートにおいて、
凹部（２１ａ、２１ｂ；５８ａ、５８ｂ）から、装着すべきレールの方向に続く、凹部（２１ａ、２１ｂ；５８ａ、５８ｂ）とアングルガイドプレート（４；５０）のセクション（２４ａ、２４ｂ；５２ｂ）との間の移行部は、急激な変化が全くないように形成されていることを特徴とするアングルガイドプレート。
【請求項２】
前記アングルガイドプレート（４；５０）はリブ（１５；５１）を有し、該リブは接触面（１４；５０ａ）に沿って延び、アングルガイドプレート（４；５０）は、前記接触面（１４；５０ａ）により、完成装着状態においてレールに接触し、前記リブ（１５；５１）には凹部（２１ａ、２１ｂ）が形成されていることを特徴とする請求項１記載のアングルガイドプレート。
【請求項３】
前記リブ（１５；５１）の、前記接触面（１４；５０ａ）から遠い側の面にはランプ（２０；５２）が形成されており、該ランプは、リブ（１５；５１）を支持するアングルガイドプレート（４；５０）の主セクションの表面（１１；５５）から延びかつリブ（１５；５１）のカップ（１８；５１ａ）に対して傾斜しており、ランプ（２０；５２）には凹部（２１ａ、２１ｂ；５８ａ、５８ｂ）が形成されていることを特徴とする請求項２記載のアングルガイドプレート。
【請求項４】
前記ランプ（２０；５２）の凹部（２１ａ、２１ｂ；５８ａ、５８ｂ）と隣接セクション（２４ａ、２４ｂ；５２ｂ）との間の移行部は丸められていることを特徴とする請求項３記載のアングルガイドプレート。
【請求項５】
前記凹部（２１ａ、２１ｂ；５８ａ、５８ｂ）はリブ（１５；５１）のカップ（１８；５１ａ）を限定し、凹部（２１ａ、２１ｂ；５８ａ、５８ｂ）からカップ（１８；５１ａ）への移行部は急激な変化が全くないように設計されていることを特徴とする請求項２〜４のいずれか１項記載のアングルガイドプレート。
【請求項６】
前記カップ（１８；５１ａ）は丸い断面形状を有していることを特徴とする請求項５記載のアングルガイドプレート。
【請求項７】
装着すべきレールの位置を定めるリブ（１５；５１）の前面には、テンションクランプ（６；６０）の自由端セクション（２２；６１）のスライド面（１９；５２ａ’、５２ａ”）が形成されており、該スライド面は、リブ（１５；５１）のカップ（１８；５１ａ）から接触面（１４；５０ａ）まで傾斜して延びていることを特徴とする請求項２〜６のいずれか１項記載のアングルガイドプレート。
【請求項８】
装着すべきテンションクランプ（６）と接触する少なくとも１つの表面領域（２９、３０）には耐摩耗材料（３１、３２）が設けられていることを特徴とする請求項１〜７のいずれか１項記載のアングルガイドプレート。
【請求項９】
前記耐摩耗材料（３１、３２）は、個々の表面セクション（２９、３０）上に塗布されることを特徴とする請求項８記載のアングルガイドプレート。
【請求項１０】
上面（５５）に少なくとも１つの接触面（５７）が形成されており、該接触面（５７）には、予装着位置において、テンションクランプ（６０）のスプリングアーム（６２）の自由端セクション（６１）が支持されることを特徴とする請求項１〜９のいずれか１項記載のアングルガイドプレート。
【請求項１１】
前記接触面（５７）は、アングルガイドプレート（４；５０）の上面（５５）からこぶ状に突出している直立部（５６ａ、５６ｂ）に形成されていることを特徴とする請求項１０記載のアングルガイドプレート。
【請求項１２】
基礎（Ｕ）上にレールを固定するシステムであって、アングルガイドプレート（４；５０）と、該アングルガイドプレート上に配置されるテンションクランプ（６；６０）とを有し、該テンションクランプは少なくとも１つのスプリングアーム（２３；６２）を備え、該スプリングアームの自由端セクション（２２；６１）は固定すべきレールに作用し、基礎（Ｕ）に作用するテンションクランプ（６；６０）にテンションを付与するテンショニング手段（７）を更に有するシステムにおいて、前記アングルガイドプレート（４；５０）が、請求項１〜１１のいずれか１項にしたがって構成されていることを特徴とする基礎上にレールを固定するシステム。
【請求項１３】
前記基礎（Ｕ）は、コンクリートスリーパ（３）またはコンクリートプレートにより形成されていることを特徴とする請求項１２記載のシステム。
【請求項１４】
前記基礎（Ｕ）にはショルダ（９）が形成されており、該ショルダ上にはアングルガイドプレート（４；５０）が支持されることを特徴とする請求項１２または１３記載のシステム。
【発明の詳細な説明】
【技術分野】
【０００１】
本発明は、基礎上にレールを装着するアングルガイドプレートであって、アングルガイドプレート上に装着されるテンションクランプのスプリングアームの自由端セクションのシート（座）として機能する凹部を有し、テンションクランプは予組立て位置に配置され、凹部は、自由端セクションの周囲の１／２より小さい部分だけ、端セクションを包囲する構成のアングルガイドプレートに関する。
【０００２】
また、本発明は、基礎上にレールを固定するシステムであって、アングルガイドプレートと、該アングルガイドプレート上に配置されるＷ型テンションクランプとを有し、該テンションクランプは少なくとも１つのスプリングアームを備え、該スプリングアームの自由端セクションは固定すべきレールに作用し、基礎に作用するテンションクランプにテンションを付与するテンショニング手段を更に有するシステムに関する。
【背景技術】
【０００３】
下記非特許文献１で説明されているように、本願で考察する形式のアングルガイドプレートおよび固定システムは、レールを、例えばコンクリートスリーパまたはコンクリートプレートにより形成された中実基礎に固定するのに使用される。この状況で固定すべきレールは、弾性中間層を介して中実基礎上に直接載される。レールは、側面がアングルガイドプレートにより案内され、各場合に、１対のアングルガイドプレートは、トラックのコースに対する所定位置に正確に位置するレールチャネルを形成する。
【０００４】
上記形式の既知の固定システムによりレールを介して加えられる力は、アングルガイドプレートを介して、レールを支持する基礎に直接伝達される。このため、個々の基礎には、各アングルガイドプレートのためのショルダが形成されており、割当てられたアングルガイドプレートは前記ショルダ上に支持される。
【０００５】
アングルガイドプレートには、通常、Ｗ型テンションクランプが装着され、該テンションクランプは、完全に装着された状態で、スプリングアームの自由端セクションで固定すべきレールのレールフットの自由上面を押付ける。湾曲した支持セクションでは、スプリングアームが、テンションクランプの自由端セクションに対面しかつアングルガイドプレート上に支持され、テンションスクリュウにより中実基礎に対して引っ張られた中間ループ内に没入される。
【０００６】
テンションクランプのＵ型中間ループは、テンションスクリュウの周囲と係合する。この状況では、その周縁（limb、Schenkel（英、独訳））は、既に装着されているテンションスクリュウが小さいクランプ力を生じるように設計されている。テンションクランプは、予装着位置から押出され、テンションクランプのスプリングアームの自由端セクションは装着すべきレールに平行に延びているリブ上に座合され、その支持セクションは、装着位置で、中実基礎の個々のショルダに対面する表面上に座合される。装着位置では、スプリングアームがレールフットに作用し、テンションクランプの支持面が、この目的のためにアングルガイドプレートに形成された凹部（凹部は、一般に溝状をなしている）内に座合される。
【０００７】
予組立て位置でのテンションクランプの確実な座合を確保するため、通常、テンションクランプのスプリングアームの自由端セクションに対面するリブには、装着すべきレールから遠い面に谷型の凹部が形成される。谷型凹部の全体的形状は、予装着されたテンションクランプの自由端セクションが、確実嵌合態様で谷型凹部内面に座合されるように選択される。この状況では、谷型凹部は鋭角をなしてリブの平らな上面内に進入し、一般に、基礎に対面するアングルガイドプレートの直立面に平行に延びている。このようにして、テンションクランプが、谷型凹部とリブの上面との間の縁部上の或る抵抗に打勝つことにより、予組立て位置から最終装着位置に移動されるに過ぎないことが確保される。このような意図しない変位は防止されなくてはならない。なぜならば、さもなければ、レールが位置決めされる前に、テンションクランプが、レールのために意図したスペース内に突出してしまう虞れがあるからである。このことが、レールの適正な位置決めを妨げることになる。
【０００８】
しかしながら、既知のレール固定システムの組立ては、端セクションをリブの谷型凹部から移動できるようにして、テンションクランプを予組立て位置から最終組立て位置に押しやるには、テンションクランプをその予組立て位置に保持するテンションスクリュウを或る量だけ緩めなくてはならないという事実により、複雑になってしまう。このことは、上記形式のレール固定が、一般に、自動組立て装置を用いて組立てられるため、実際には特別な欠点をもたらすことになる。これらの装置の機能は、テンションスクリュウを緩める手順により更に複雑になってしまう。
【先行技術文献】
【非特許文献】
【０００９】
【非特許文献１】本件出願人刊行「コンクリートスリーパ用レール固定システム−システムＷ１４」
【発明の概要】
【発明が解決しようとする課題】
【００１０】
このような技術的背景から、本発明の目的は、少なくとも１つのアングルガイドプレートを有する上記形式のレール固定システムであって、一方では簡単な方法でテンションクランプをその予組立て位置に確実に保持でき、他方では最終組立てを容易に行えるレール固定システムを提供することにある。
【００１１】
本発明は、特許請求の範囲の請求項１に記載のアングルガイドプレートにより上記目的を達成した。本発明によるアングルガイドプレートの有利な実施形態は、請求項１に従属する請求項に記載されている。
【００１２】
同様に、上記目的は、請求項１２に記載の特徴を有するレール固定システムにより達成される。本発明による固定システムの有利な実施形態は、請求項１２に従属する請求項に記載されている。
【００１３】
本発明による基礎上のレール組立体用のアングルガイドプレートは凹部を有している。本発明による予組立て固定システムでは、自由端セクションがこの凹部内に配置され、これにより、本発明によるアングルガイドプレートに割当てられたテンションクランプのスプリングアームは、完成装着状態において、レールを押さえ付けるのに必要なスプリング力をレールに加える。同様に、この状況での凹部は、該凹部が端セクションの外周の１／２より小さい大きさだけ端セクションを包囲するように構成されている。これにより、それぞれのスプリングアームの端セクションは、予装着位置において、実際に確実嵌合により凹部内に配置される。しかしながら、この状況での凹部の形状は、アングルガイドプレートの材料を変位させる必要なくして、端セクションを凹部から押出すことを可能にする。
【課題を解決するための手段】
【００１４】
本発明によれば、凹部とアングルガイドプレートの少なくとも一セクションとの間の移行部は、装着すべきレールの方向に続き、ここでは急激な変化が全くないように形成されているため、アングルガイドプレートの形状は、一方ではテンションクランプがその予組立て位置に確実に保持されることを保証する。他方では、本発明によるアングルガイドプレートの設計は、この目的でテンショニング手段（該テンショニング手段は、予組立て位置において、テンションクランプを信頼性をもってその予組立て位置に保持するのに必要な保持力をテンションクランプに加えている）を緩める必要なくして、テンションクランプがこの位置から最終組立て位置へ押出されることを可能にする。したがって、テンショニング手段により比較的高い保持力が加えられるけれども、充分になだらかなまたは平らな移行部により、テンションクランプ自体の弾性を用いて凹部からテンションクランプが押出されることが可能になる。同時に、これらの保持力は、いかなる問題もなく、非常に大きくでき、これにより、テンションクランプは、実際に必要とされる充分に高度の信頼性をもって、アングルガイドプレートの凹部により予め定められた予組立て位置に保持される。
【００１５】
したがって本発明によれば、考え得る簡単な方法で、アングルガイドプレートおよび該アングルガイドプレートを備えたレール固定システムを、一方ではテンションクランプがその予組立て位置から移動しないように、他方では操作手順が省略されるように、すなわち、テンションクランプを最終組立て位置に押しやる前にテンショニング手段を解放するように設計できる。
【００１６】
本発明によるアングルガイドプレートが、固定すべきレールと接触する完成組立て状態において接触面に沿って延びるリブを有する状況では、従来技術と同様に、本発明によるアングルガイドプレートのリブに凹部を形成できる。この状況では、テンションクランプを予組立て位置から最終組立て位置に更に移動させ、更に予組立て位置に信頼性のある保持を保証できるようにするため、本発明によれば、接触面から遠い側のリブの面に、リブを支持するアングルガイドプレートの主セクションの面から出発しかつリブの上面（該上面には凹部が形成される）に向かって斜めに上昇するランプ（斜面）を形成できる。凹部のこの構成により、予組立て位置から最終組立て位置への移動時に、テンションクランプのスプリングアームは或る大きさの付加テンションを受けなくてはならない。この結果、テンションクランプが予組立て位置に配置される信頼性が更に高められる。この場合、スプリングアームに加えられる更なるテンションの大きさは、凹部とリブ（該リブ上でスプリングアームの端セクションが押されなくてはならない）のカップとの間の高さの差に基づいて定められる。本発明により、凹部とアングルガイドプレートのセクション（該セクション上を、スプリングアームの端セクションが、予組立て位置から最終組立て位置への変位中にスライドする）との間の移行部に急激な変化がないように設計されているため、この状況では、テンションクランプがレールの方向に直線移動により押される場合には、スプリングアームの必要な変形が自動的に調節される。この状況では、クランピング手段を予組立て位置から解放する必要はない。
【００１７】
アングルガイドプレートの凹部から隣接セクションへの本発明による移行部は、例えば、凹部と該凹部に隣接するランプとの間の移行部を丸めることにより実行することができる。この丸められた形状は、凹部を、限定された周辺ゾーンを備えた窪みとして形成できるという長所を有している。この窪みは個々の端セクションにより交差されなくてはならず、したがって、テンションクランプがその予組立て位置から自然に移動してしまうことを有効に防止する。
【００１８】
本発明によるアングルガイドプレートの設計による他の可能性は、アングルガイドプレートにリブが設けられている場合には、凹部がカップに隣接し、これにより、凹部からリブカップへの移行部を急激な変化が全くない状態に形成できるという事実にある。この目的のため、カップに丸められた断面形状をもたせることができる。この設計により、スプリングアームの端セクションが最終組立て位置に移動するときにリブのカップを通過する場合に、テンションクランプが、リブ上で不意に移動することなくスライドすることができる。
【００１９】
スプリングアームの端セクションから、固定すべきレールのフット上への移行は、既知の固有の方法では、テンションクランプの端セクションのスライド面が、装着すべきレールに対面するリブの前面に形成されており、リブのカップから、レールに接触する接触面まで傾斜して延びていることにより行なわれる。
【００２０】
テンションクランプの組立て中またはテンションクランプがアングルガイドプレートと接触する表面セクションの領域内での継続使用時に生じる過大摩耗の危険を回避するため、アングルガイドプレートは、関連表面セクションの少なくとも一方に耐摩耗材料を設けることができる。これは、特に、組立て中または継続作業中に生じるテンションクランプの押込み時に、テンションクランプにより行われるばね移動により、アングルガイドプレートとテンションクランプとの間に相対移動が生じるときに好都合である。これは、耐摩耗材料を個々の表面セクションに塗布することにより、特に経済的に達成できる。しかしながら、耐摩耗材料は、アングルガイドプレートの適当に用意した装着スペースにインサートの形態で用いることもできる。同様に、個々の表面セクションに対面するアングルガイドプレートの全体的セクションをこのような耐摩耗材料で作ることを考えることもできる。
【００２１】
本発明の長所は、コンクリートスリーパまたはコンクリートプレートにより形成された基礎にレールを固定することにおいて特に好ましい効果をもたらす。これは、基礎にショルダが形成されており、該ショルダ上にアングルガイドプレートが支持される場合にいえることである。
【００２２】
本発明によるアングルガイドプレート上に予装着されるスプリング要素を予組立て中の捩りから保護するため、スプリング要素のそれぞれの自由端セクションを支持する接触面をアングルガイドプレート上に形成することができる。この接触面は、この状況では、アングルガイドプレートに形成されたランプに割当てられた表面セクションと一緒に、接触面が、関連端セクションが予組立て位置に配置される凹部を限定するように整合される。この目的のため、接触面は、こぶ状に突出する直立部およびアングルガイドプレートの上面に形成できる。
【００２３】
以下、一実施形態を示す図面に基づいて、本発明を詳細に説明する。
【図面の簡単な説明】
【００２４】
【図１】アングルガイドプレートを示す側面図である。
【図２】図１のアングルガイドプレートを示す平面図である。
【図３】レールを予組立て位置に固定するシステムを示す側面図である。
【図４】図３のシステムが最終組立て位置にあるところを示す側面図である。
【図５】レールを固定するシステムの他の実施例が予組立て位置にあるところを示す図３と同様な側面図である。
【図６】図５のシステムに使用されたアングルガイドプレートを示す平面図である。
【発明を実施するための形態】
【００２５】
図３および図４に示すシステム１は、固定基礎Ｕ上にレールを固定するのに使用される。この例では、基礎Ｕはコンクリートスリーパ３から形成されており、簡単化のため一部のみが示されている。同じ理由から、固定すべきレールに関しても、図３および図４には、システム１に対面するレールフット２の縁部領域のみが示されている。
【００２６】
システム１は、アングルガイドプレート４と、弾性層５と、必要な保持力を発生させるべく設けられるＷ型テンションクランプ６と、該テンションクランプ６にテンションを付与するテンショニング手段として機能するテンションスクリュウ７とを有している。
【００２７】
弾性層５は高弾性を有する微細多孔質ポリウレタン発泡体からなり、その弾性は、長時間完全圧縮されていた後に突然圧力が緩和された場合でも、瞬時に自動的に弛緩して弾性層５の元の厚さに再び膨張するような特性を有している。
【００２８】
コンクリートスリーパ３には装着スペース８が形成されている。該装着スペース８はコンクリートスリーパ３の幅方向に延びており、かつ長手方向で見てその側端部が支持ショルダ９により限定されている。装着スペース８のベースは支持面１０を形成しており、該支持面１０上に弾性層５が載置される。支持面１０から個々の支持ショルダ９への移行領域において、支持面１０には溝１０ａが形成されている。溝１０ａに隣接する支持面１０の側端領域は、アングルガイドプレート４が嵌合位置において載置される領域を形成している。この側端領域の中央位置には窪みが形成されており、該窪み内にはテンションスクリュウ７用のプラスチックドエル（図示せず）が設けられる。
【００２９】
アングルガイドプレート４はその上面１１に異型要素１２を有し、該異型要素１２は、テンションクランプ６を案内し、かつ保持力を、システム１により保持されるべきレールのレールフット２に確実に伝達する。アングルガイドプレート４には更に、その上面１１から出発する貫通孔１３が形成されている。既知の方法で組立てられる間に、テンションクランプ６にテンションを付与するテンションスクリュウ７が、この貫通孔１３を通って案内され、スリーパ３に設けられたドエル内にねじ込まれる。
【００３０】
アングルガイドプレート４は、レールフット２に対面する側面に接触面１４を有し、レールフット２と側方に接触している。
【００３１】
アングルガイドプレート４の上面１１にはリブ１５が形成されており、該リブ１５はレールフット２に対面するアングルガイドプレート４の縁部に沿って延びており、かつレールフット２に対面するその側面が接触面１４と同一面になるように整合している。リブ１５のテーブル状中間セクション１６には個々の異型要素１２が形成されており、該異型要素１２は、テンションクランプ６をその完成組立て位置において案内する。
【００３２】
中間セクション１６に隣接するリブ１５の２つのセクション１７ａ、１７ｂの各々が、丸い断面を有する幅狭カップ１８を有し、該セクション１７ａ、１７ｂは、レールフット２に対面するリブ１５の側面が、傾斜スライド面１９の形態で接触面１４に没入している。
【００３３】
レールフット２から遠い側の側面にはランプ２０の形態でサイドセクション１７ａ、１７ｂが形成されており、該サイドセクション１７ａ、１７ｂはアングルガイドプレート４の上面１１からそれぞれのカップ１８まで傾斜して延びている。
【００３４】
各ランプ２０にはトラフ状凹部２１ａ、２１ｂが形成されており、該凹部２１ａ、２１ｂは個々のセクション１７ａ、１７ｂの全体に亘って延びている。凹部２１ａ、２１ｂの形状は、テンションクランプ６のスプリングアーム２３の自由端セクション２２が個々の凹部２１ａ、２１ｂ内に確実に嵌合されて配置されかつこの状況において凹部２１ａ、２１ｂが自由端セクション２２の周囲の約３０°に亘って接触するように、自由端セクション２２の外径に合うように調節される。
【００３５】
各凹部２１ａ、２１ｂは、緩やかに丸められた形状をなして、凹部を囲むランプ２０のセクション２４ａ、２４ｂに没入している。
【００３６】
このようにして、凹部２１ａ、２１ｂから特にセクション２４ａまで、急激な変化のない移行部が形成される。セクション２４ａは、凹部２１ａ、２１ｂからリブ１５のカップ１８まで、いかなる急激な変化もなくつながっており、凹部２１ａ、２１ｂは、カップ１８内に没入している。したがって、テンションクランプ６に対面するランプ２０の上面は、全体として急激な変化が全くない連続面である。
【００３７】
組立て中および作動中にアングルガイドプレート４とテンションクランプ６との間の相対運動が生じる表面セクション２９、３０の摩耗を最小にするため、例えば、表面セクション２９（該表面セクション２９上で、テンションクランプ６のスプリングアーム２３の個々の端セクション２２が、凹部２１ａ、２１ｂの領域内で移動する）は、耐摩耗材料３１で覆われる。正確に同じ態様で、耐摩耗材料３２が、表面セクション３０の領域に塗布される（Ｗ型テンションクランプ６の組立て中に、その中間ループ２５とスプリングアーム２３との間に存在するその戻り曲りにより、テンションクランプ６が表面セクション３０の領域上をスライドして溝２８内に入る）。この場合、耐摩耗材料３１、３２は、実際の使用中に生じる過酷な条件下でもアングルガイドプレート４に充分に強固に保持されるように、スプレーまたは他の適当な塗布方法により、マテリアルボンドでアングルガイドプレート４に結合される。
【００３８】
システム１を予組立てするには、アングルガイドプレート４の下面に既知の態様で形成された突出部４ａが、コンクリートスリーパ３の溝１０ａ内に確実嵌合により係合しかつアングルガイドプレート４が、その接触面１４とは反対側の側面によりコンクリートスリーパ３の支持ショルダ９上に支持されるようにして、アングルガイドプレート４がコンクリートスリーパ３の支持面１０上に載置される。これにより、アングルガイドプレート４は、この貫通孔１３がスリーパ３に設けられたドエル（ここでは見えない）に一致するようにして整合される。
【００３９】
Ｗ型に形成されたテンションクランプ６は、次に、そのスプリングアーム２３の自由端セクション２２が、リブ１５のランプ２０に形成された凹部２１ａ、２１ｂの１つに入るようにして、アングルガイドプレート４上に置かれる。次に、テンションスクリュウ７をドエル（図示せず）にねじ込むことにより、テンションクランプ６に充分なテンションが付与されて予組立て位置に保持されるまでクランプされる。
【００４０】
同様に、システム１と同様に構成された第２システム（図示せず）が、支持ショルダ９とは反対側の装着スペース８の側面に予組立てされる。次に、レールが、これらの２つのシステムの接触面１４により横方向に限定されたスペース内に置かれる。次に、この状況において、システム１の図面に示すように、レールフット２が、システム１のアングルガイドプレート４の接触面１４と横方向に接触される。
【００４１】
システム１の完成組立体では、テンションスクリュウ７が変化されず締付けられた状態で、テンションクランプ６が、自動的に作動する組立て装置（図示せず）の補助により、レールフット２の方向に直線移動Ｌするように押される。この状況では、テンションクランプ６の弾性アーム２３が僅かな付加テンションを受けてスライドし、弾性アーム２３の端セクション２２は、僅かな付加抵抗を受け、リブ１５の丸いカップ１８に到達するまで、個々の凹部２１ａ、２１ｂから外れて、ランプ２０の隣接セクション２４ａ上をスライドする。
【００４２】
端セクション２２は、次に、カップ１８に隣接するスライド面１９上をスライドし、更にここからレールフット２上にスライドする。この運動は、テンションクランプ６（支持セクション２６がテンションクランプ６の中間ループ２５とスプリングアーム２３を連結している）が、支持ショルダ９で接触しているアングルガイドプレート４のセクション２７に沿って延びている溝２８内に入るまで続けられる。リブ１５のカップ１８への凹部２１ａ、２１ｂの移行部が特殊形状を有していること、およびカップ１８自体が丸められていることにより、予組立て位置（図３）から完成最終組立て位置へのテンションクランプ６の変位は、１つの移動シーケンスにおいて急激な力変化が本質的に全くない態様で行なわれる。この目的のためにテンションスクリュウ７によるテンションクランプ６のテンショニングを解放する必要は全くない。なぜならば、テンションクランプ６のスプリングアーム２３は、リブ１５のカップ１８上を通って変位する間に要する運動を行なうのに充分なばね弾性を有するからである。
【００４３】
図５には、レール（ここには図示されていない）を固定するための上記システムの変更形態が示されている。このシステムもアングルガイドプレート５０を有しており、その基本的形状はアングルガイドプレート４の基本的形状と同じである。したがって、図５および図６から明らかなように、アングルガイドプレート５０は、装着すべきレール（図示せず）のレールフットに対面する、アングルガイドプレート４の接触面１４に対応する接触面５０ａと、接触面５０ａに隣接する、アングルガイドプレート４のリブ１５に対応するリブ５１と、アングルガイドプレート４のランプ２０に対応するランプ５２と、アングルガイドプレート５０に形成された、アングルガイドプレート４の貫通孔１３に対応する貫通孔５３と、アングルガイドプレート４の中間テーブル状セクション１６に対応する中間テーブル状セクション５４とを有し、該中間テーブル状セクション５４には、アングルガイドプレート５０が完成組立て位置にあるときにアングルガイドプレート５０上に装着されるテンションクランプ６０を案内する異型要素が形成されている。
【００４４】
しかしながら、アングルガイドプレート４とは異なり、アングルガイドプレート５０では、リブ５１のランプ５２は２つの平らなランプ面５２ａ’、５２ａ”を有し、これらのランプ面のうちの一方は、幅狭面５０ｂ’、５０ｂ”のうちの一方と、アングルガイドプレート５０の中間セクション５４との間に配置される。ランプ面５２ａ’、５２ａ”は、この状況で、ランプ５２のフットから見た側面図で見てリブ５１のカップ５１ａの方向に傾斜して延びている。
【００４５】
また、アングルガイドプレート５０の上面５５には、中間セクション５４の側でかつ該中間セクションに直ぐ隣接してかつアングルガイドプレート５０の一方の幅狭面の方向にオフセットして、こぶの形態で上方に突出する直立部５６ａ、５６ｂが形成されている。直立部５６ａ、５６ｂは、ランプ５２に対面するこれらの側面に接触面５７を有している。該接触面５７は、接触面５０ａに対して実質的に平行に配置されかつその下端部がランプ５２のフットに対面し、かつ急激に変化することなく、谷型凹部の形態をなして割り当てられたランプ面５２ａ’、５２ａ”内に没入している。接触面５７は、側面図で見て、対面するランプ面５２ａ’、５２ａ”に対して９０°より小さい角度を形成している。
【００４６】
このようにして、接触面５７と、該接触面５７に対面するランプ面５２ａ’、５２ａ”との間には凹部５８ａ、５８ｂが存在する。この凹部５８ａ、５８ｂは、アングルガイドプレート５０上に予組立てすべきテンションクランプ６０の一方のスプリングアーム６２の自由端セクション６１のためのシートを形成している。
【００４７】
この状況では、直立部５６ａ、５６ｂの接触面５７および該接触面に対面するランプ面５２ａ’、５２ａ”は互いに鋭角に配置され、このため、凹部５８ａ、５８ｂは、テンションクランプ６０が予組立てされたときに、それぞれの端セクション６１の周囲の１／２より小さい部分だけ、端セクション６１を包囲する。凹部５８ａ、５８ｂとアングルガイドプレート５０のランプ面５２ａ’、５２ａ”のセクション５２ｂとの間の移行部５９は、凹部５８から、装着すべきレールの方向に続き、急激な変化が全くないように形成されている。
【００４８】
予組立て位置では、テンションクランプ６０の端セクション６１は、該端セクションに対面する凹部５８ａ、５８ｂ内面に位置する。テンションクランプ６０に予テンションを付与するため、スクリュウ（ここには図示されていない）によりテンションクランプ６０のループに軽い押圧力が加えられ、これにより、テンションクランプ６０がこれ自体でもはや予組立て位置から移動できなくなる。これにより、テンションクランプ６０の自由端セクション６１が直立部で確実に支持され、かつテンションが加えられるときにテンションクランプ６０が捩られることなくその予組立て位置に確実に保持される。最終組立て中、アングルガイドプレート４について既に説明したように、テンションクランプ６０の端セクション６１は、これらがレールフット（図示せず）上に載るまで、急激な変化を全くもたない個々の平らなランプ面５２ａ’、５２ａ”上で妨げられることなくスライドできる。この状況で、リブ５１の高さＨは、レールフットの厚さが大きくても、または適当な下敷きによりレールフットの位置が高くなっても、いつでも信頼性が得られるように寸法が定められる。
【符号の説明】
【００４９】
（図１〜図４）
１  レール固定システム
２  レールフット
３  コンクリートスリーパ
４  アングルガイドプレート
４ａ  アングルガイドプレートの下面に形成された突出部
５  弾性層
６  テンションクランプ
７  テンションスクリュウ
８  装着スペース
９  支持ショルダ
１０  支持面
１０ａ  コンクリートスリーパの溝
１１  アングルガイドプレートの上面
１２  異型要素
１３  貫通孔
１４  接触面
１５  リブ
１６  リブの中間セクション
１７ａ、１７ｂ  リブの側方セクション
１８  カップ
１９  スライド面
２０  ランプ
２１ａ、２１ｂ  凹部
２２  テンションクランプのスプリングアームの端セクション
２３  テンションクランプのスプリングアーム
２４ａ、２４ｂ  凹部に隣接するランプのセクション
２５  テンションクランプの中間ループ
２６  テンションクランプの支持セクション
２７  支持ショルダに接触するアングルガイドプレートのセクション
２８  溝
２９、３０  耐摩耗材料３１、３２で覆われた表面セクション
３１、３２  耐摩耗材料
Ｌ  直線移動
Ｕ  中実基礎（コンクリートスリーパ）
（図５および図６）
５０  アングルガイドプレート
５０ａ  アングルガイドプレートの接触面
５０ｂ’、５０ｂ”  アングルガイドプレートの幅狭面
５１  アングルガイドプレートのリブ
５１ａ  リブのカップ
５２  アングルガイドプレートのランプ
５２ａ’、５２ａ”  アングルガイドプレートのランプ面
５２ｂ  リブのカップに隣接するランプ面のそれぞれのセクション
５３  アングルガイドプレートの貫通孔
５４  アングルガイドプレートの中間セクション
５５  アングルガイドプレートの上面
５６ａ、５６ｂ  直立部
５７  直立部の接触面
５８ａ、５８ｂ  凹部
５９  ランプ面の凹部とセクションとの間の移行部
６０  テンションクランプ
６１  テンションクランプの自由端セクション
６２  テンションクランプのスプリングアーム
Ｈ  リブの高さ
【図１】
0005607619.tif 000002
【図２】
0005607619.tif 000003
【図３】
0005607619.tif 000004
【図４】
0005607619.tif 000005
【図５】
0005607619.tif 000006
【図６】
0005607619.tif 000007